(57)【要約】【課題】加湿器本体の汚れを防止しつつランニングコストを低減することができ、且つインテリア物品にもなる流水式加湿器を提供することにある。【解決手段】流水式加湿器１００は、電動ポンプ１１２の作動により、貫通孔１０８を介して水が凹部１０５に供給されると、載置台１０４の球面対偶１０７と石材１０６との間の隙間を水が流れて、石材１０６が浮上する。このとき、載置台１０４は若干傾斜しているので、載置台１０４の球面対偶１０７と石材１０６との間の隙間は、右側より左側の方が大きくなり、水の流量が大きい。その結果、石材１０６は、時計方向に回転することになる。石材１０６の回転により、石材１０６の表面は常に水で濡れた状態になり、送風部１１４から送風された空気は、石材１０６の表面上の水で加湿されて、周囲空気の中に送られる。【選択図】　　　図１
2004076949.tif 000002
【特許請求の範囲】
【請求項１】
下部が水に浸漬され且つ回転する回転部材と、前記回転部材の上部に風を当てる送風手段とを備えることを特徴とする流水式加湿器。
【請求項２】
前記回転部材の表面は刻み目状であることを特徴とする請求項１記載の流水式加湿器。
【請求項３】
前記回転部材は球形であり、前記加湿器は、前記回転部材を載置すべく前記石材と相補形であると共に傾斜配置可能な載置台と、前記回転部材を浮上させるべく前記載置台を介して前記水を流す流水手段とを備えることを特徴とする請求項１又は２記載の流水式加湿器。
【請求項４】
前記回転部材は円筒形であり、前記加湿器は、前記回転部材を回転させるべく前記水を流す流水手段を備えることとを特徴とする請求項１又は２記載の流水式加湿器。
【請求項５】
前記回転部材を回転させる回転手段を備えることを特徴とする請求項１又は２記載の流水式加湿器。
【請求項６】
前記回転部材は石材から成ることを特徴とする請求項１乃至５のいずれか１項に記載の流水式加湿器。
【発明の詳細な説明】
【０００１】
【発明の属する技術分野】
本発明は、流水式加湿器に関し、特に下部が水に浸漬される回転石材を利用した流水式加湿器に関する。
【０００２】
【従来の技術】
従来、加湿器としては、電気加熱器により水を加熱して蒸発させるスチーム式、超音波発生器により水を励振して蒸発させる超音波式、スポンジ等を利用した毛細管現象により水を気化させる気化式のものがある。これらのうち、気化式加湿器は、通常、毛細管現象による水の吸い上げを効果的に行うためにスポンジに所定の薬品を付着させている。
【０００３】
【発明が解決しようとする課題】
しかしながら、スチーム式、超音波式、気化式の各加湿器には、以下に述べる欠点がある。即ち、スチーム式加湿器は、水の加熱蒸発のために電力消費量が大きくランニングコストが掛かる。超音波式加湿器は、水として水道水を使用した場合は、水道水中の塩素や不純物までをも空気中に散布するので、周囲空気を汚染し且つ加湿器の蒸気放出口付近を白く汚してしまう。また、気化式のものは、スポンジの水吸い上げ力が衰えた場合等に、定期的にスポンジの交換を必要とし、ランニングコストが掛かる。また、これらの加湿器は、可動部があったとしても、この可動部はケーシング内に納めされており、インテリア要素に欠けている。
【０００４】
本発明の目的は、加湿器本体の汚れを防止しつつランニングコストを低減することができ、且つインテリア機能をもつ流水式加湿器を提供することにある。
【０００５】
【課題を解決するための手段】
上述の目的を達成するために、請求項１記載の流水式加湿器は、下部が水に浸漬され且つ回転する回転部材と、前記回転部材の上部に風を当てる送風手段とを備えることを特徴とする。
【０００６】
請求項１記載の流水式加湿器によれば、下部が水に浸漬され且つ回転する回転部材の上部に風を当てるので、水の蒸発のために加熱・励振やスポンジの交換を不要にして、加湿器本体の汚れを防止しつつランニングコストを低減することができ、且つ回転部材が可動であることにより加湿器にインテリア機能を持たせることができる。
【０００７】
請求項２記載の流水式加湿器は、請求項１記載の流水式加湿器において、前記回転部材の表面は刻み目状であることを特徴とする。
【０００８】
請求項２記載の流水式加湿器によれば、回転部材の表面が刻み目状であるので、加湿量を増加させることができる。
【０００９】
請求項３記載の流水式加湿器は、請求項１又は２記載の流水式加湿器において、前記回転部材は球形であり、前記加湿器は、前記回転部材を載置すべく前記石材と相補形であると共に傾斜配置可能な載置台と、前記回転部材を浮上させるべく前記載置台を介して前記水を流す流水手段とを備えることを特徴とする。
【００１０】
請求項３記載の流水式加湿器によれば、回転部材が球形であるので、加湿器のインテリア機能を向上させることができる。
【００１１】
請求項４記載の流水式加湿器は、請求項１又は２記載の流水式加湿器において、前記回転部材は円筒形であり、前記加湿器は、前記回転部材を回転させるべく前記水を流す流水手段を備えることとを特徴とする。
【００１２】
請求項４記載の流水式加湿器によれば、回転部材を回転させるべく水を流すので、加湿器のインテリア機能を向上させることができる。
【００１３】
請求項５記載の流水式加湿器は、請求項１又は２記載の流水式加湿器において、前記回転部材を回転させる回転手段を備えることを特徴とする。
【００１４】
請求項５記載の流水式加湿器によれば、回転部材を回転させるので、回転部材の回転を確実に行うことができる。
【００１５】
請求項６記載の流水式加湿器は、請求項１乃至５のいずれか１項に記載の流水式加湿器において、前記回転部材は石材から成ることを特徴とする。
【００１６】
請求項６記載の流水式加湿器によれば、回転部材が石材からなるので、加湿器のインテリア機能をより向上させることができる。
【００１７】
【発明の実施の形態】
以下、本発明の実施の形態に係る流水式加湿器を図面を参照しながら説明する。
【００１８】
図１は、本発明の第１の実施の形態に係る流水式加湿器の概略構成を示す断面図である。
【００１９】
以下の説明では、主として、図１の断面図を参照しながら説明するが、適宜、図１の流水式加湿器の全体斜視図である図２と、図２の流水式加湿器の部分斜視図である図３を参照する。
【００２０】
図１において、流水式加湿器１００は、水を満たす水瓶本体１０１を有する。水瓶本体１０１は、下部に台部１０２を有し、上部に開口を有すると共にその開口縁にフランジ部１０３を有する。フランジ部１０３は、その上面が球面凹状をなす。フランジ部１０３の上面には、ほぼディスク状の載置台１０４が載置されている（図２）。
【００２１】
載置台１０４は、下面がフランジ部１０３の上面と相補的な球面凸状をなしており、フランジ部１０３の上に載置される際にその傾斜角を調節することができる（図３）。また、載置台１０４は、上面中央に凹部１０５を有し、凹部１０５の周囲において、後述する球形の石材１０６の相補的な球面対偶１０７を有する。凹部１０５には、貫通孔１０８があけられている（図３）。載置台１０４は、９０度の等角度間隔でスリット１０９が形成されており、載置台１０４がフランジ部１０３の上に載置されたとき、スリット１０９を介して水瓶本体１０１の内部とフランジ部１０３の上部とが連通するようになっている。
【００２２】
載置台１０４のフランジ部１０３の球面対偶１０７の上には、球形の石材１０６（回転部材）が載置される。
【００２３】
載置台１０４の貫通孔１０８には、ゴム製の管１１０を介して電動ポンプ１１１（流水手段）が接続され、この電動ポンプ１１１は、水瓶本体１０１の中に配され、水瓶本体１０１内に満たされた水を吸い込み、昇圧後管１１０を介して凹部１０５に吐出する。また、電動ポンプ１１１には電源ケーブル１１２が接続され、この電源ケーブル１１２は、水瓶本体１０１を貫通して外部に導かれている。
【００２４】
フランジ部１０３には、９０°の等角度間隔で断面略円形の貫通孔１１３があけられており、貫通孔１１３の周囲にはコーミング１１３ａが形成されている。コーミング１１３ａは、その長手中心軸が石材１０６の表面に接する方向に配向している。コーミング１１３ａ内にはステー１１３ｂを介して送風部１１４が取り付けられている。これにより、送風部１１４は、上記のように載置台１０４の上に載置された球形の石材１０６にその表面の接線方向に風を当てることができる。コーミング１１３ａは送風部１１４のための送風ダクトの役目を果たし、さらに、流水が送風部１１４にかかるのを防止する役目を果たす。
【００２５】
図４は、図１における送風部１１４の斜視図である。
【００２６】
送風部１１４は、軸１１６を回転させるモータ１１５と、軸１１６にその中心が固定された羽根１１７と、モータ１１５に取付けられた電源ケーブル１１８とから成り、電源ケーブル１１８は図示しない電源に接続されている、モータ１１５が軸１１６を回転させることにより、羽根１１７を回転させて送風する。モータ１１５はステー１１３ｂを介してコーミング１１３ａに固定されており、軸１１６の中心軸とコーミング１１３ａの長手中心軸とが一致している。
【００２７】
図１の流水式加湿器１００は、電動ポンプ１１２の作動により、貫通孔１０８を介して水が凹部１０５に供給されると、載置台１０４の球面対偶１０７と石材１０６との間の隙間を水が流れて、石材１０６が浮上する。このとき、載置台１０４は若干（図１では左側に）偏倚しているので、載置台１０４の球面対偶１０７と石材１０６との間の隙間は、石材１０６の重力の影響を受けて右側より左側の方が大きくなり、その分水の流量が大きい。その結果、石材１０６は、図１では時計方向に回転することになる。
【００２８】
石材１０６の回転により、石材１０６の表面は常に水で濡れた状態になり、送風部１１４から貫通孔１１３を介して送風された空気は、石材１０６の表面上の水で加湿されて、周囲空気の中に送られる。
【００２９】
図５は、本発明の第２の実施の形態に係る流水式加湿器の概略構成を示す断面図である。
【００３０】
図５において、本発明の第２の実施の形態に係る流水加湿器５００は、流水体５０１を有する。流水体５０１は、底部５０２と立設部５０３とで構成され、ほぼ断面Ｌ字形をなす。底部５０２の上面には、水が満たされる細長い水溜５０４が形成されている。また、流水体５０１の上面は、水溜５０４から立設部５０３の上端に向けて曲面状になっており、この流水体５０１の上面には、水溜５０４に隣接して、後述する円筒状の石材５０５（回転部材）と相補的な円筒凹状の凹部５０６が形成されている。
【００３１】
凹部５０６には、円筒状の石材５０５が収容され、この石材５０５は、流水体５０１に図示しない支持体により回転自在に支持されている。凹部５０６は、その底部に配管５０７を介して電動ポンプ５０８が接続されており、電動ポンプ５０８の吐出口は、配管５０９を介して立設部５０３の上端の流水口５１０に接続されている。流水口５１０は、石材５０５の長さに対応した幅を有している。
【００３２】
立設部５０３の上端且つ流水口５１０の上部には、図１のコーミング１１３ａが石材５０５の長手中心軸方向に等間隔で取付けられている。コーミング１１３ａ夫々は、その長手中心軸が石材５０５の表面に接する方向に配向している。コーミング１１３ａ内にはステー１１３ｂを介して図４の送風部１１４が取付けられている。これにより、送風部１１４は、上記のように凹部５０６に収容された石材５０５にその表面の接線方向に風を当てることができる。コーミング１１３ａは送風部１１４のための送風ダクトの役目を果たす。
【００３３】
図５の流水式加湿器５００によれば、電動ポンプ５０８の作動により、流水口５１０から流水体５０１の上面を水が落とされ、この水の流れによる石材５０５の回転により、石材５０５の表面は常に水で濡れた状態になり、送風部１１４から送風された空気は、石材５０５の表面上の水で加湿されて、周囲空気の中に送られる。
【００３４】
図６は、本発明の第３の実施の形態に係る流水式加湿器の概略構成を示す断面図である。
【００３５】
図６において、本発明の第３の実施の形態に係る流水加湿器６００は、流水体６０１を有する。流水体６０１は、ボックス状をなし、その上面には、水が満たされる細長い二つの水溜６０２，６０３が形成されている。これらの水溜６０２，６０３の間には、後述する円筒状の石材６０３と相補的な円筒凹状の凹部６０４が形成されている。
【００３６】
凹部６０４には、円筒状の石材６０５が収容され、この石材６０５は、流水体６０１に回転自在に図示しない支持体により支持されている。石材６０５には、詳細には図示しないが、適宜な動力伝達機構を介して電動モータ６０６が接続されており、電動モータ６０６の作動により石材６０５を回転することができる。
【００３７】
水溜６０２，６０３は、配管６０７を介して互いに接続されている。
【００３８】
流水体６０１の上端で水溜６０３側には、図１のコーミング１１３ａが石材６０３の長手中心軸方向に等間隔で取付けられている。コーミング１１３ａ内にはステー１１３ｂを介して図４の送風部１１４が取付けられている。これにより、送風部１１４は、上記のように凹部６０４に収容された石材６０５にその表面の接線方向に風を当てることができる。コーミング１１３ａは送風部１１４のための送風ダクトの役目を果たす。
【００３９】
図６の流水式加湿器６００によれば、電動モータ６０６の作動による石材６０５の回転により、水溜６０３から水溜６０２に水が流れ、石材６０５の表面は常に水で濡れた状態になり、送風部１１４から送風された空気は、石材６０５の表面上の水で加湿されて、周囲空気の中に送られる。
【００４０】
上記第１〜第３の実施の形態において、石材１０６，５０５，６０５の表面は刻み目状であるのが好ましい。これにより、加湿量を増加させることができる。また、石材１０６，５０５，６０５は、その中心本体を軽石とし、その表面を部分的に金属や樹脂等でコーティングすることにより刻み目を形成してもよく、これにより石材１０６，５０５，６０５の回転を容易にすることができ、且つ加湿量を増加させることができる。
【００４１】
また、石材１０６，５０５，６０５に代えて、金属製の中空部材を用いてもよい。これにより、中空部材の回転を容易にすることができ、加えて、その表面の刻み目等の形成をプレス等により容易に行うことができる。
【００４２】
【発明の効果】
以上詳細に説明したように、請求項１記載の流水式加湿器によれば、下部が水に浸漬され且つ回転する回転部材の上部に風を当てるので、水の蒸発のために加熱・励振やスポンジの交換を不要にして、加湿器本体の汚れを防止しつつランニングコストを低減することができ、且つ回転部材が可動であることにより加湿器にインテリア機能を持たせることができる。
【００４３】
請求項２記載の流水式加湿器によれば、回転部材の表面が刻み目状であるので、加湿量を増加させることができる。
【００４４】
請求項３記載の流水式加湿器によれば、回転部材が球形であるので、加湿器のインテリア機能を向上させることができる。
【００４５】
請求項４記載の流水式加湿器によれば、回転部材を回転させるべく水を流すので、加湿器のインテリア機能を向上させることができる。
【００４６】
請求項５記載の流水式加湿器によれば、回転部材を回転させるので、回転部材の回転を確実に行うことができる。
【００４７】
請求項６記載の流水式加湿器によれば、回転部材が石材からなるので、加湿器のインテリア機能をより向上させることができる。
【図面の簡単な説明】
【図１】本発明の第１の実施の形態に係る流水式加湿器の概略構成を示す断面図である。
【図２】図１の流水式加湿器の全体斜視図である。
【図３】図２の流水式加湿器の部分斜視図である。
【図４】図４は、図１における送風部１１４の斜視図である。
【図５】本発明の第２の実施の形態に係る流水式加湿器の概略構成を示す断面図である。
【図６】本発明の第３の実施の形態に係る流水式加湿器の概略構成を示す断面図である。
【符号の説明】
１００，５００，６００　流水式加湿器
１０１　水瓶本体
１０３　フランジ部
１０４　載置台
１０６，５０５，６０５　石材
１０８，１１３　貫通孔
１０９　スリット
１１１　電動ポンプ
１１４　送風部
５０１，６０１　流水体
５０２　底部
５０３　立設部
５０４　水溜
５０６，６０４　凹部
５０８　電動ポンプ
６０２，６０３　水溜
６０６　電動モータ
【図１】
2004076949.tif 000003
【図２】
2004076949.tif 000004
【図３】
2004076949.tif 000005
【図４】
2004076949.tif 000006
【図５】
2004076949.tif 000007
【図６】
2004076949.tif 000008